(57)【特許請求の範囲】
【請求項１】
剛性の大きい硬い材質からなる硬質性部材に対し、容易に形状変形する柔らかな材質からなる軟質性部品を接着固定するための部品取付構造であって、
前記軟質性部品は、前記硬質性部材との取付面の裏側に該取付面に沿うように所定の剛性を持つ材質からなる硬体プレートを一体的に具備してなり、
前記硬質性部材に対して前記軟質性部品を取り付ける際に、前記硬体プレートと前記硬質性部材との間に前記軟質性部品が挟まる配置で、前記軟質性部品を前記硬質性部材に接着固定するようにしてなり、
前記硬体プレートは前記硬質性部材と同種の材質から構成されてなり、該硬体プレートが前記硬質性部材と略同様に伸縮変形することによって、前記軟質性部品を両側から挟んだ前記硬質性部材と前記硬体プレートの略同様の伸縮変形に応じて該軟質性部品が均一的に伸縮変形するようにしたことを特徴とする硬質性部材に対する軟質性部品の部品取付構造。
【請求項２】
鍵盤型の演奏操作子を具えた鍵盤楽器において、該鍵盤型の演奏操作子の並び方向に延びた剛性の大きい硬い硬質性部材からなる所定部位に対し、容易に形状変形する柔らかな材質からなる横長の軟質性部品を、該鍵盤型の演奏操作子の並び方向に沿って、接着固定するための部品取付構造であって、
前記軟質性部品は、前記硬質性部材からなる前記所定部位との取付面の裏側に該取付面に沿うように所定の剛性を持つ材質からなる横長の硬体プレートを一体的に具備してなり、
前記硬質性部材からなる前記所定部位に対して前記軟質性シート状の部品を取り付ける際に、前記硬体プレートと前記所定部位との間に前記軟質性シート状の部品が挟まる配置で、前記軟質性部品を前記所定部位に接着固定することを特徴とする鍵盤楽器における硬質性部材に対する軟質性部品の部品取付構造。
【請求項３】
前記硬体プレートは前記硬質性部材と同種の材質から構成されてなり、該硬体プレートが前記硬質性部材と略同様に伸縮変形することによって、前記軟質性部品を両側から挟んだ前記硬質性部材と前記硬体プレートの略同様の伸縮変形に応じて該軟質性部品が均一的に伸縮変形するようにしたことを特徴とする請求項２に記載の部品取付構造。
【請求項４】
剛性の大きい硬い材質からなる硬質性部材に対し、容易に形状変形する柔らかな材質からなる軟質性部品を接着固定するための部品取付構造であって、
前記軟質性部品は、その一部を成す所定の取付面において前記硬質性部材に対し接着されるものであり、前記硬質性部材に対する該所定の取付面の裏側に該取付面に沿うように所定の剛性を持つ材質からなる硬体プレートを一体的に具備してなり、それ以外の部分においては該硬体プレートを具備せずに柔軟性が保たれており、
前記硬質性部材に対して前記軟質性部品を取り付ける際に、前記硬体プレートと前記硬質性部材との間に前記軟質性部品が挟まる配置で、前記軟質性部品を前記硬質性部材に接着固定し、それ以外の部分では前記軟質性部品の柔軟性が保たれることを特徴とする硬質性部材に対する軟質性部品の部品取付構造。
【発明の詳細な説明】
【０００１】
【発明の属する技術分野】
本発明は、硬い材質からなる硬質性部材に対して軟らかい材質からなる軟質性部品を取り付ける際の部品取付構造に関するものである。特に、作業者が簡単に部品取り付け作業を効率よく正確に行うことができるようにした部品取付構造に関する。
【０００２】
【従来の技術】
従来から、硬い材質からなる部材を用いて形成された硬質性部材（つまり、剛性の大きい部材）に対して軟らかい材質からなる部材を用いて形成された軟質性部品（つまり、剛性の小さい部品）を取り付けることが一般的に行われている。例えば、電子ピアノやシンセサイザーなどの鍵盤型の演奏操作子を具えた電子楽器においては、フェルトや布などといった伸縮自在の軟らかい材質からなる軟質性部品を保護部材などとして電子楽器本体などに接着固定している。最近では軽量化のために、電子楽器本体には鉄フレームではなくプラスチックフレームが用いられることが多い。こうした電子楽器本体に接着固定される軟質性部品の具体的な例を挙げると、鍵盤や各種スイッチ類などの可動部と電子楽器本体との隙間に配設されて電子楽器内部へのごみや埃等の進入を防ぐことによって電子楽器内部を保護するためのものや、あるいは鍵盤操作に従って動作するハンマーを所定位置でストップするためのストッパを使用による劣化などから保護するためのものなどがある。このように、電子楽器には軟らかい材質からなる軟質性部品が保護部材などとして随所に配設されており、こうした軟質性部品は両面テープや接着剤等によって直接電子楽器本体（硬質性部材）などに接着固定されている。
【０００３】
【発明が解決しようとする課題】
上述したように、軟質性部品は両面テープや接着剤などによって硬質性部品に直接的に接着固定されるものであるが、この際に作業者は予め所定の形状にカットされている軟質性部品の接着面と硬質性部材の接着面とを貼りあわせるようにして接着する。この作業者による硬質性部材への軟質性部品の接着作業においては、作業者が軟質性部品を所定の方向に引っ張りながら硬質性部材に貼りあわせていくのが一般的な作業方法である。電子ピアノなどにおいては、こうした硬質性部材への軟質性部品の接着状態の良し悪しが鍵盤タッチや発音される音の良し悪しに影響を与えることがあるので、こうした接着作業は非常に重要な作業である。また、硬質性部材への軟質性部品の接着作業は上記した引っ張りなどの微妙な力加減が必要な作業、すなわち熟練した技術が要求される非常に高度な作業である。そのために、作業者が熟練者であるか否かによって、若しくは作業時における作業環境（例えば、作業場の温度や湿度あるいは風などの自然要因や人工的な要因等）などによって、取り付け後の軟質性部品の形状にばらつきが生じやすい、という問題点があった。また、熟練した技術が要求される非常に高度な作業であり、誰でもが効率良く該接着作業を行うことのできる作業性のよい作業ではないことから、作業効率の良し悪しが作業者の作業熟練度に応じて左右され不都合である、という問題点もあった。
さらに、最近では、硬質性部材として鉄などと比較して外力や環境変化による歪みが大きいプラスチックを用いることが多いために、外力や環境変化による軟質性部品の剥がれが生じやすい、という問題点があった。
【０００４】
この発明は上述の点に鑑みてなされたもので、硬い材質からなる部材を用いて形成された硬質性部材に対して軟らかい材質からなる部材を用いて形成された軟質性部品を取り付ける際に、熟練者以外の作業者であっても部品取り付け作業を効率よく行うことができ、かつ、作業者毎に取り付け後の軟質性部品の形状にばらつきが生じないように全ての作業者が均一に部品取り付け作業を行うことのできる部品取付構造を提供しようとするものである。
また、部品取り付け後における硬質性部材からの軟質性部品の自然脱落が生じにくい部品取付構造を提供しようとするものである。
【０００５】
【課題を解決するための手段】
請求項１の発明に係る硬質性部材に対する軟質性部品の部品取付構造は、剛性の大きい硬い材質からなる硬質性部材に対し、容易に形状変形する柔らかな材質からなる軟質性部品を接着固定するための部品取付構造であって、前記軟質性部品は、前記硬質性部材との取付面の裏側に該取付面に沿うように所定の剛性を持つ材質からなる硬体プレートを一体的に具備してなり、前記硬質性部材に対して前記軟質性部品を取り付ける際に、前記硬体プレートと前記硬質性部材との間に前記軟質性部品が挟まる配置で、前記軟質性部品を前記硬質性部材に接着固定するようにしてなり、前記硬体プレートは前記硬質性部材と同種の材質から構成されてなり、該硬体プレートが前記硬質性部材と略同様に伸縮変形することによって、前記軟質性部品を両側から挟んだ前記硬質性部材と前記硬体プレートの略同様の伸縮変形に応じて該軟質性部品が均一的に伸縮変形するようにしたことを特徴とするものである。
請求項２の発明に係る鍵盤楽器における硬質性部材に対する軟質性部品の部品取付構造は、鍵盤型の演奏操作子を具えた鍵盤楽器において、該鍵盤型の演奏操作子の並び方向に延びた剛性の大きい硬い硬質性部材からなる所定部位に対し、容易に形状変形する柔らかな材質からなる横長の軟質性部品を、該鍵盤型の演奏操作子の並び方向に沿って、接着固定するための部品取付構造であって、前記軟質性部品は、前記硬質性部材からなる前記所定部位との取付面の裏側に該取付面に沿うように所定の剛性を持つ材質からなる横長の硬体プレートを一体的に具備してなり、前記硬質性部材からなる前記所定部位に対して前記軟質性シート状の部品を取り付ける際に、前記硬体プレートと前記所定部位との間に前記軟質性シート状の部品が挟まる配置で、前記軟質性部品を前記所定部位に接着固定することを特徴とする。
請求項４の発明に係る硬質性部材に対する軟質性部品の部品取付構造は、剛性の大きい硬い材質からなる硬質性部材に対し、容易に形状変形する柔らかな材質からなる軟質性部品を接着固定するための部品取付構造であって、前記軟質性部品は、その一部を成す所定の取付面において前記硬質性部材に対し接着されるものであり、前記硬質性部材に対する該所定の取付面の裏側に該取付面に沿うように所定の剛性を持つ材質からなる硬体プレートを一体的に具備してなり、それ以外の部分においては該硬体プレートを具備せずに柔軟性が保たれており、前記硬質性部材に対して前記軟質性部品を取り付ける際に、前記硬体プレートと前記硬質性部材との間に前記軟質性部品が挟まる配置で、前記軟質性部品を前記硬質性部材に接着固定し、それ以外の部分では前記軟質性部品の柔軟性が保たれることを特徴とする。
【０００６】
この発明によれば、剛性の大きい硬い材質からなる硬質性部材に対して容易に形状変形する柔らかな材質からなる軟質性部品を接着固定する際に、硬体プレートと硬質性部材との間に軟質性部品が挟まる配置で軟質性部品は硬質性部材に接着固定される。前記硬体プレートは前記軟質性部品における前記硬質性部材との取付面の裏側に前記取付面に沿うように構成されており、該硬体プレートは所定の剛性を持つ材質からなる。すなわち、所定の剛性を持つ材質からなる硬体プレートが軟質性部品における硬質性部材との取付面の裏側に構成されていることから、この部分においては軟質性部品の他の部分と比較して硬体プレートがある分だけ剛性が大きいものとなる。したがって、硬質性部材に対して軟質性部品を所定位置に配置して接着する取付作業を行う際に、作業者はこの硬体プレートを保持しながら取付作業を行うことによって、引っ張りなどの微妙な力加減を必要としないで取付作業を行うことができる。また、硬体プレートを軟質性部品に予め一体的に設けているので、誰でもが効率良く取付作業を行うことができ、それに従って作業効率を向上させることができるようになる。
また、請求項１の発明においては、前記硬体プレートは前記硬質性部材と同種の材質から構成されてなり、該硬体プレートが前記硬質性部材と略同様に伸縮変形することによって、前記軟質性部品を両側から挟んだ前記硬質性部材と前記硬体プレートの略同様の伸縮変形に応じて該軟質性部品が均一的に伸縮変形するので、外力や温度等環境変化によって接着箇所の部材に歪みが生じたとしても、その歪みは軟質性部品の接着箇所の両面で同様なものとなるので、接着面にかかる負担が少なく、軟質性部品が接着面から剥がれ落ちにくくなる。
また、請求項４の発明においては、前記軟質性部品は、その一部を成す所定の取付面において前記硬質性部材に対し接着され、該所定の取付面の裏側に硬体プレートを一体的に具備するが、それ以外の部分においては該硬体プレートを具備せずに柔軟性が保たれるようになっているため、上述の通り、効率良く取付作業を行うことができることに加えて、接着箇所以外の柔軟性のある部分で他の部品を柔軟にカバーして保護機能を発揮することができる。
【０００７】
【発明の実施の形態】
以下、添付図面を参照しながらこの発明を詳細に説明する。
【０００８】
図１は、本発明に係る部品取付構造を電子ピアノ等で用いられる鍵盤型演奏操作子に適用した場合における鍵盤型演奏操作子の全体構成の一実施例を示した側面図である。すなわち、図１（ａ）は鍵盤型演奏操作子の全体構成を示す概念図であり、図１（ｂ）及び図１（ｃ）は該鍵盤型演奏操作子において本発明に係る部品取付構造を適用した箇所のみを特に拡大して示した拡大図である。以下、これらの図を用いて、本発明に係る部品取付構造について説明する。
【０００９】
図１（ａ）から理解できるように、電子ピアノ等で用いられる既知の鍵盤型演奏操作子は、鍵１全体が鍵盤フレーム２に支持されており、該鍵盤フレーム２は棚板３に支持されている。鍵１は白鍵や黒鍵を構成する演奏操作子であって、各鍵１と操作パネル部１２との間に生じる隙間は保護部材ＨＢで覆われている。各鍵１は、ガイド４に沿って矢印Ｘ方向に上下動可能に支持されている。鍵１の下側では質量体５が鍵盤フレーム２により支持されており、この質量体５は全体として前後方向にほぼ水平に延びており、所定位置を回動中心として回動可能となっている。質量体５は、演奏者側の先端部が鍵１に付設する垂下片６の下端部と接しており、鍵１の押鍵及び離鍵動作に連動するようにして回動する。質量体５の演奏者側の先端部の下方付近には、鍵盤フレーム２により支持された鍵スイッチ７が固定されている。質量体５には、この鍵スイッチ７に対応する位置で下方に延びる一対の脚部を備えたスイッチ駆動部８が設けられている。これらのスイッチ駆動部８及び鍵スイッチ７は、押鍵スイッチを構成している。すなわち、鍵スイッチ７内におけるスイッチ駆動部８との２つの接点距離の相違による押鍵時の導通開始時間差を利用して押鍵速度を感知することができるようになっている。質量体５の操作パネル部１２側からは金属棒９が鍵盤フレーム２の後部まで延びるように形成されており、該金属棒９は休止位置（非押鍵状態）において、鍵盤フレーム２上に固定された保持部材１０により該金属棒９の当節部１１が支持される状態に構成される。鍵１が押鍵された場合、金属棒９は図１（ａ）に実線で示す休止位置から点線で示す押鍵位置へと矢印Ｙ方向に移動する。鍵盤フレーム２における鍵１のすぐ後方には、ストッパ部材ＳＢが配設されており、押鍵位置に至った質量体５及び金属棒９をストップさせる役割を果たす。この質量体５の後部から後方へ長く延びた金属棒９の質量により、押鍵時の慣性抵抗を生じさせることができるようになっている。
【００１０】
こうした該鍵盤型演奏操作子の動作について簡単に説明すると、押鍵前の状態から押鍵すると、鍵１が下方へ回動し、垂下片６が質量体５を押し下げる。それに伴って質量体５が回動を開始し、スイッチ駆動部８が鍵スイッチ７に向かって下降していく。そして、質量体５のスイッチ駆動部８が該鍵スイッチ７と接触すると鍵スイッチ７がオン状態となり、所定の発音機構（図示せず）を動作させて発音が開始される。また、質量体５の回動に従い、質量体５から後方に延びるようにして付設された金属棒９が上昇する。そして、スイッチ駆動部８が鍵スイッチ７と接した直後に金属棒９の当節部１１がストッパ部材ＳＢに当節し、これにより質量体５及び鍵１の回動を停止するようになっている。
【００１１】
上述したような鍵盤型演奏操作子で用いられているストッパ部材ＳＢは、金属棒９の当節部１１の衝突に対する緩衝材として作用するだけでなく、演奏者の手指に対して鍵１の確実な停止感を与えるなどの重要な機能を持つ。このストッパ部材ＳＢが当節部１１との接触によって劣化してしまうと前記機能が損なわれることから、図１（ｂ）から理解できるように、ストッパ部材ＳＢは硬さの異なるフェルトを複数重ねた緩衝用フェルトＫを保護シートＳで覆うようにして構成される。すなわち、押鍵動作に従って動作する金属棒９の当接部１１が保護シートＳを介して緩衝用フェルトＫを押圧するように構成することによって、緩衝用フェルトＫの劣化を保護シートＳで防止している。このように緩衝用フェルトＫを覆うようにして取り付けられる保護シートＳは例えば布のような軟らかい材質からなるものであって、両面テープや接着剤等を用いて鍵盤フレーム２に取り付けられる。この保護シートＳの鍵盤フレーム２との接着面と反対側の面にはプレートＰが予め配設されており、保護シートＳは鍵盤フレーム２とプレートＰとの間に挟まれた状態で取り付けられる。このプレートＰは保護シートＳと比較してより剛性の大きい材質からなるシート状に形成されたものであり、保護シートＳにストレスがかからない状態で予め保護シートＳの鍵盤フレーム２との接着面と反対側の面に貼りあわされている。したがって、保護シートＳを交換する場合には交換対象とされた保護シートＳをプレートＰと共に鍵盤フレーム２から剥がせばよい。そして、新たに取り付ける保護シートＳのプレートＰ部分を用いて、保護シートＳを鍵盤フレーム２に取り付ければよい。
【００１２】
なお、上述の図１（ｂ）に示した実施例においては保護シートＳの両端にプレートＰを配設した例を示したがこれに限らず、少なくともどちらか一方の端にプレートＰを設けるようにすればよい。
【００１３】
上述した鍵盤フレーム２への保護シートＳの取り付けに適用したプレートＰを用いての部品取付構造は、電子ピアノの鍵盤型演奏操作子における適宜の箇所への部品取り付けに適用することが可能である。例えば、図１（ｃ）に示すように、操作パネル部１２への保護部材ＨＢの取り付けにも適用することができる。すなわち、電子ピアノの鍵盤型演奏操作子においては、保護部材ＨＢとして鍵１と操作パネル部１２側との間に生じる隙間を隙間用フェルトＢで覆うようにしている。この隙間用フェルトＢは例えばフェルトのような軟らかい材質からなるものであり、この隙間用フェルトＢにより電子ピアノ外部からごみや埃などの故障の原因となりうるものの電子ピアノ内部への侵入を防止するようになっている。こうした隙間用フェルトＢを両面テープや接着剤等を用いて操作パネル部１２に取り付ける際にも、上述した保護シートＳの取り付け時に用いたのと同様の部品取付構造を適用することは有効である。すなわち、この隙間用フェルトＢの操作パネル部１２との接着面と反対側の面にはプレートＰが予め配設されており、隙間用フェルトＢは操作パネル部１２とプレートＰとの間に挟まれた状態で取り付けられる。このプレートＰは隙間用フェルトＢと比較してより剛性の高い材質からなるシート状に形成されたものであり、隙間用フェルトＢにストレスがかからない状態で予め隙間用フェルトＢの操作パネル部１２との接着面と反対側の面に貼りあわされている。したがって、隙間用フェルトＢを交換する場合には交換対象とされた隙間用フェルトＢをプレートＰと共に操作パネル部１２から剥がせばよい。そして、新たに取り付ける隙間用フェルトＢのプレートＰ部分を用いて、隙間用フェルトＢを操作パネル部１２に取り付ければよい。
【００１４】
なお、上述の図１（ｃ）に示した実施例においては厚みが均一に構成された隙間用フェルトＢを取り付けた例を示したがこれに限らず、隙間用フェルトＢの厚みは均一でなくてもよい。例えば、操作パネル部１２との接着面に対応する部分の厚みを他の部分と比較して薄くしてもよい。すなわち、プレートＰを配設する箇所の厚みを薄くしてその他の箇所の厚みを厚くするとよい。そうすると、電子ピアノ内部へのごみや埃等の進入をより確実に防止することができる。
【００１５】
以上のように、硬質性部材（上述した実施例では鍵盤フレーム２や操作パネル部１２など）に対する軟質性部品（上述した実施例では保護シートＳや隙間用フェルトＢなど）を取り付ける際の部品取付構造を、軟質性部品よりも剛性の大きい薄肉部材（上述した実施例ではプレートＰ）と硬質性部材との間に軟質性部品が挟まった状態で取り付けられたサンドイッチ状の構造とすると、非常に作業性がよくなるという利点がある。すなわち、上述したような保護シートＳや隙間用フェルトＢ等の軟質性部品を予めプレートＰのような薄肉部材を一体的に具備した複合部材として構成しておくと、作業者はこのプレートＰを保持して該保護シートＳや隙間用フェルトＢ等を鍵盤フレーム２や操作パネル部１２などに取り付ける作業を簡単に行うことができる。プレートＰ部分は保護シートＳや隙間用フェルトＢ等と比較して剛性の大きい材質で構成されており適度な硬さを持つことから、保護シートＳや隙間用フェルトＢ等のみを鍵盤フレーム２や操作パネル部１２などに取り付けるよりも作業が容易であり、かつ、取り付ける所定位置に正しい状態に取り付け作業を行うことができるようになる。
【００１６】
また、硬質性部材に対する軟質性部品を取り付ける際の部品取付構造を、軟質性部品よりも剛性の大きい薄肉部材と硬質性部材との間に軟質性部品が挟まった状態で取り付けられたサンドイッチ状の構造とすると、上述した作業性の良さという利点の他に、伸縮変形が起こった場合における部品の自然脱落を防止することができるという利点も得られる。これについて、図２を用いて説明する。図２は、伸縮変形が起こった場合における自然脱落の発生に関し、従来の部品取付構造と本発明に係る部品取付構造とを比較しながら説明するための概念図である。図２（ａ）及び図２（ｂ）は従来の部品取付構造について、図２（ｃ）は本発明に係る部品取付構造についてそれぞれ説明するための概念図である。
【００１７】
図２（ａ）及び図２（ｂ）に示した従来の部品取付構造の場合、すなわち単に両面テープや接着剤などによって鍵盤フレーム２（若しくは操作パネル部１２）などに対して保護シートＳ（若しくは隙間用フェルトＢ）等を取り付けている場合に外力や環境変化（例えば温度変化など）が生じると、該外力や環境変化（例えば温度変化）に従って鍵盤フレーム２が伸縮変形することが起こる。図２（ａ）は鍵盤フレーム２が矢印方向に縮む伸縮変形が生じている場合を示し、図２（ｂ）は鍵盤フレーム２が矢印方向に伸びる伸縮変形が生じている場合を示している。こうした温度変化によって鍵盤フレーム２に図示したような伸縮変形が起こった場合には、鍵盤フレーム２と所定の接着面（図２では太線で表示）で貼りあわされている保護シートＳの一部も鍵盤フレーム２の伸縮変形にあわせて伸縮変形する。一般的に、鍵盤フレーム２や保護シートＳが具える部材特性は異なるものである。したがって、それぞれの部材の伸縮変形の度合いは異なるものであり、鍵盤フレーム２と保護シートＳの両部品の伸縮変形は常に同じ向きに同じ量だけ変形するものとは限らない。そうすると、伸縮変形が進むにつれて鍵盤フレーム２と保護シートＳとが接着面において徐々に歪むといった現象を引き起こし、最終的にはこの歪みが所定の許容量を超えるほど大きくなって鍵盤フレーム２から保護シートＳが剥がれ落ちる原因となる。また、例え鍵盤フレーム２と保護シートＳの両部品の伸縮変形は常に同じ向きに同じ量だけ変形するものであったとしても、鍵盤フレーム２と保護シートＳとの接着面のみが常に同じ向きに同じ量だけ変形するものであった。そのため、鍵盤フレーム２の伸縮変形が進むに従って、保護シートＳ自体に徐々に大きな歪が生じることとなり、この歪により鍵盤フレーム２と保護シートＳとの接着面が破壊されて、鍵盤フレーム２から保護シートＳが剥がれ落ちるということも生じていた（図２（ａ）及び図２（ｂ）参照）。このように、鍵盤フレーム２と保護シートＳとの間には伸縮率に差があり、かつ、鍵盤フレーム２や保護シートＳなどの部品の弾性的な伸びにも限りがあることから、従来の部品取付構造は伸縮変形に従い接着面が破壊されて部品が自然脱落しやすい構造であった。
【００１８】
しかし、上述したように硬質性部材に対する軟質性部品を取り付ける際の部品取付構造を、軟質性部品よりも剛性の大きい薄肉部材と硬質性部材との間に軟質性部品が挟まった状態で取り付けられたサンドイッチ状の構造とすると、図２（ｃ）に示すように、軟質性部品（保護シートＳ）が薄肉部材（プレートＰ）の取り付けられた側と硬質性部材（鍵盤フレーム２）に取り付けられた側とで同じように伸縮変形して全体として均一な伸縮状態となることから（点線で表示した矢印参照）、硬質性部材から軟質性部品が剥がれ落ちにくくなる。すなわち、外力や環境変化によって発生する歪を、軟質性部品そのもの全体が均一に変形して吸収することでせん断応力が分散して小さくなり、したがって接着面にかかる負担が軽減されるのではがれや破断等の発生を抑制することができるようになる。特に、硬質性部材や薄肉部材として、熱膨張係数が近似の部材を使用したような場合には、軟質性部品に生ずる温度変化による歪は互いに同一方向かつ均一となることから、結果として接着面の負担はより軽減されることになり、硬質性部材から軟質性部品が剥がれ落ちにくくなる。
【００１９】
なお、上述した実施例では、本発明に係る部品取付構造を電子ピアノの鍵盤型演奏操作子に適用した例について説明したがこれに限らず、本発明に係る部品取付構造を電子ピアノ以外のものや電子ピアノの鍵盤型演奏操作子以外の適宜の箇所に適用するなど、どのようなものに適用してもよいことは言うまでもない。
【００２０】
【発明の効果】
以上のように、この発明においては、硬質性部材に対して軟質性部品を取り付ける際の部品取付構造を、軟質性部品よりも剛性の大きい薄肉部材と硬質性部材との間に軟質性部品が挟まった状態の取付構造とすることで、作業者が簡単に部品取り付け作業を効率よく正確に行うことができる、という優れた効果が得られる。また、部品取り付け後における硬質性部材からの軟質性部品の自然脱落が生じにくい、という優れた効果も得られる。
【図面の簡単な説明】
【図１】  本発明に係る部品取付構造を電子ピアノ等で用いられる鍵盤型演奏操作子に適用した場合における鍵盤型演奏操作子の全体構成の一実施例を示した側面図である。図１（ａ）は全体構成を示す概念図、図１（ｂ）及び図１（ｃ）は本発明に係る部品取付構造を適用した箇所を特に拡大して示した拡大図である。
【図２】  伸縮変形が起こった場合における自然脱落の発生に関し、従来の部品取付構造と本発明に係る部品取付構造とを比較しながら説明するための概念図である。図２（ａ）及び図２（ｂ）は従来の部品取付構造について、図２（ｃ）は本発明に係る部品取付構造についてそれぞれ説明するための概念図である。
【符号の説明】
１…鍵、２…鍵盤フレーム、３…棚板、４…ガイド、５…質量体、６…垂下片、７…鍵スイッチ、８…スイッチ駆動部、９…金属棒、１０…保持部材、１１…当節部、１２…操作パネル部、ＨＢ…保護部材、ＳＢ…ストッパ部材、Ｐ…プレート、Ｋ…緩衝用フェルト、Ｓ…保護シート、Ｂ…隙間用フェルト
【図１】
0003674543.tif 000002
【図２】
0003674543.tif 000003